(57)【特許請求の範囲】
【請求項１】
デジタル放送受信装置において、
受信回路に入力するデジタル放送信号の入力電界強度を測定する手段と、
前記入力電界強度を表示手段に表示させる手段と、
受信回路で受信したデジタル放送信号の伝送誤りを検出する第１の検出手段と、
前記第１の検出手段の検出結果から誤り率を算出する手段と、
前記誤り率を、受信信号品位に変換する変換手段と、
前記受信信号品位を表示手段に表示させる手段と、
受信されたデジタル放送信号の受信信号品位を判定する信号品位判定手段と、
受信されたデジタル信号が所定の品位以下と判定された場合は警告を行う警告手段とを具備し、
前記入力電界強度と前記受信信号品位を同時に表示し、前記信号品位判定手段で受信されたデジタル信号が所定の品位以下と判定された場合は警告を行うことを特徴とするデジタル放送受信装置。
【発明の詳細な説明】
【０００１】
【発明の属する技術分野】
本発明は、放送局では映像信号及び音声信号或いはどちらか一方の信号を符号化つまりデジタル化して送信するデジタル放送システムに用いられ、受信側でデジタル復調及び誤り訂正を行い、アナログに変換して再生するデジタル放送受信装置の改良に関する。
【０００２】
【従来の技術】
一般に、衛星放送では、指向性の高いアンテナが用いられ、アンテナの方位を的確に衛星に合わせる必要がある。従来のアナログ方式の衛星放送受信機では信号強度を表示するレベルメータを目安にして入力電界強度がピークを示すようにアンテナの方位を調整し決定している。
【０００３】
前記信号強度は、一般的には受信機の入力段に位置するＡＧＣ回路のＡＧＣ電圧から換算している。
【０００４】
しかしながら、入力電界強度のみをＡＧＣ電圧から換算して表示するだけでは、（１）十分な精度、安定度が得られないことと、（２）入力電界強度が高いことが即信号品位が高いとは言えないため、Ｃ／Ｎ（Ｃａｒｒｉｅｒ  ｔｏ  Ｎｏｉｓｅ）の悪化により受信画面の悪化つまり再生後の視聴品位が低下しても、伝送系に起因したＣ／Ｎの悪化なのか受信機の故障なのか判別がつかない、という問題がある。
【０００５】
このように、衛星放送の受信に際しては、入力の電界強度が高いだけでは適切な受信品位が得られず、受信信号のＣ／Ｎが重要なファクターとなるためＣ／Ｎを入力電界強度に加味して表示するような改善がなされているものもある。
【０００６】
この場合、アナログ方式の衛星放送受信機では、受信信号のＣ／Ｎの計測には、ＦＭ変調方式の特徴である三角ノイズを計測し代用する手段が用いられている。
【０００７】
一方、放送のデジタル化は、高画質化や高音質化、多チャンネル化、多プログラム化を実現し、マルチメディアサービスやインタラクティブサービスを可能とするものとして期待されつつある。
【０００８】
ところが、デジタル衛星放送受信装置の場合、変調方式がＱＰＳＫ変調など、アナログ方式と異なる変調方式のため、アナログ方式の場合と同様な手段によるＣ／Ｎの計測、表示ができないという問題がある。
【０００９】
また、日本においては、アナログ方式の放送衛星とデジタル方式の放送衛星の位置がほぼ同じ方位に混在して打ち上げられている状況にあり、アンテナの方位を調整する際、入力電界強度を測定し表示するだけでは、アナログ衛星放送を受信しているのかデジタル衛星放送を受信しているのか判別できないという問題もある。
【００１０】
【発明が解決しようとする課題】
上記の如く、デジタル放送受信装置では、受信信号品位を計測し表示することができなかった。また、アンテナの方位調整の際、アナログ衛星放送を受信しているのかデジタル衛星放送を受信しているのか判別できないという問題もあった。
【００１１】
そこで、本発明は、上記の問題に鑑み、受信信号品位を計測し表示することができ、またアンテナの方位調整の際にデジタル放送信号をアナログ放送信号と間違えることのなく受信できるデジタル放送受信装置を提供することを目的とするものである。
【００１２】
【課題を解決するための手段】
請求項１記載の発明は、デジタル放送受信装置において、
受信回路に入力するデジタル放送信号の入力電界強度を測定する手段と、
前記入力電界強度を表示手段に表示させる手段と、
受信回路で受信したデジタル放送信号の伝送誤りを検出する第１の検出手段と、
前記第１の検出手段の検出結果から誤り率を算出する手段と、
前記誤り率を、受信信号品位に変換する変換手段と、
前記受信信号品位を表示手段に表示させる手段と、
受信されたデジタル放送信号の受信信号品位を判定する信号品位判定手段と、
受信されたデジタル信号が所定の品位以下と判定された場合は警告を行う警告手段とを具備し、
前記入力電界強度と前記受信信号品位を同時に表示し、前記信号品位判定手段で受信されたデジタル信号が所定の品位以下と判定された場合は警告を行うことを特徴とするものである。
【００１３】
本発明に係わるデジタル放送システムでは、伝送情報、つまり映像信号および音声信号ないしは何れかの信号を符号化し、これに制御や情報伝達を目的としたデータを付加した情報に、更に伝送エラーを改善する目的で誤り訂正符号を付加して伝送している。そして、受信装置では、前記誤り訂正符号をもとに伝送途中で発生した情報の誤りを検出し訂正する手段を持っている。
【００１４】
請求項１記載の発明は、受信回路に入力する放送信号の入力電界強度は、例えばＡＧＣ電圧を用いて広い電界測定範囲に亘って測定可能であり、誤り率（ビットエラーレート）はその測定可能な範囲における比較的狭い測定範囲において測定可能である、ことに鑑みて、なされたものである。例えば、デジタル衛星放送信号を受信すべく、アンテナの方位調整を行う場合には、i)入力電界強度の表示レベルを見ながら、アンテナを広い範囲で回転させて表示レベルの高い目的範囲に近い位置を見つけた後、ii)誤り率に基づいた受信信号品位の表示レベルを見ながら精度の高い方位調整を行うことが可能となるのである。なぜなら、(1)入力電界強度の表示レベルの大小だけでは広範囲な調整は可能であるがこれがアナログ衛星放送なのかデジタル衛星放送なのか分からないこと、(2)電界だけでは精度が低いこと、ためである。このため、請求項１の発明では、i)入力電界強度の表示レベルで大まかな方位調整と、ii)デジタル放送信号受信でのみ検出可能な誤り率に基づいた受信信号品位の表示レベルを見ながらの正確な方位調整と、を行えるようにしたものである。従って、本発明は、入力電界強度の測定と、誤り率に基づいた受信信号品位の算出と、の２つを組み合わせることに特徴があり、表示手段に２つの表示を行いながら、アンテナ方位調整を行うことによって、デジタル放送受信装置におけるアンテナ方位調整時の操作性の向上及び調整時間の短縮化を大幅に実現できるものである。誤り検出の第１の検出手段では、入力情報の量に対する誤り量から誤り率を計算する。そして、この誤り率は、受信信号品位（例えばＣ／Ｎ）に換算された後、テレビジョン受像機などの画面或いは他の表示器に表示される。このようにすれば、受信したデジタル放送信号をデジタル復調した後、エラー検出する部分から得た誤り率を直接受信信号品位に換算して、表示するため、ＡＧＣ電圧など振幅変動の大小に基づいた受信性能表示に比べて、精度、安定度が高いという利点を生じる。
【００１６】
また、アンテナの方位調整を行う際には、本発明に係る受信信号品位の計測及び表示がデジタル放送受信装置に特有のエラー検出・訂正に基づいてなされるため、受信信号品位が表示されていると、アンテナが的確にデジタル放送衛星の方角に向いていると判断できる。もしも、アンテナの方角が、アナログ放送衛星の方向に合っていると、受信信号品位の表示はなされない。
【００１７】
さらに、信号品位判定手段で受信されたデジタル信号が所定の品位以下と判定された場合は表示などで警告を行うので、伝送エラーが多発して伝送状態が悪化していることを、ユーザーに認識させることができる。
【００１８】
さらに、デジタル信号品位を誤り率に基づいて例えばＣ／Ｎに換算して表現すれば、画面の表示状態が悪化した場合、デジタル信号品位の表示値が大きければ、送信側及び送信側からの伝送路上のノイズによるものではなく、受信装置などの故障によるものとの判断が可能になる。
【００１９】
【発明の実施の形態】
以下、図面を参照して本発明の実施の形態について説明する。図１は、本発明に係わるデジタル放送システム及び本発明の一実施の形態であるデジタル放送受信装置の回路ブロック図である。
【００２０】
図１において、デジタル放送システムは、放送局１及び放送中継衛星２から成る放送設備と、受信アンテナ設備３とデジタル放送受信装置４とテレビジョン受像機５から成る加入者受信設備とで構成されている。
【００２１】
放送局１で作成される番組は、映像信号及び音声信号で構成されるが、これらの信号の両方或いはその一方の信号が符号化され、第１のデジタル情報とされる。
【００２２】
この第１のデジタル情報は、伝送効率を上げるためＭＰＥＧ（Ｍｏｖｉｎｇ  Ｐｉｃｔｕｒｅ  Ｅｘｐｅｒｔ  Ｇｒｏｕｐ）に代表されるようなデータ圧縮技術により軽量化され第２のデジタル情報になり、同様に圧縮された幾つかの放送のデジタル情報と多重され、またそれら番組に関する情報や他のサービスに使用されるデジタル情報を付加されて第３のデジタル情報として統合される。
【００２３】
この第３のデジタル情報はデータ伝送に適合したデータの大きさに分割される。そして、分割された各データは未契約者が簡単に情報を利用できないようにスクランブル処理され、スクランブル加工されたデータとなる。
【００２４】
このスクランブル加工後のデータはデータの意味を示すヘッダ及び伝送中発生する伝送エラーを改善するためのエラー訂正符号が付加されて放送データとなり、更に変調されデジタル放送信号として放送中継衛星２に目がけて発信される。この放送中継衛星２は、従来のアナログ放送の衛星とは異なり、デジタル放送用の衛星である。
【００２５】
放送中継衛星２では前記デジタル放送信号を受信し、デジタル衛星放送信号として第２の周波数に変換して地上に向け再送信する。
【００２６】
地上の加入者受信設備では、前記デジタル衛星放送信号を受信アンテナ設備３により受信する。
【００２７】
前記受信信号は、まず受信アンテナ設備３に内蔵された変換装置にて有線伝送に有利な低い第３の周波数に変換されて家庭内に配置されるデジタル放送受信装置４に伝送される。
【００２８】
デジタル放送受信装置４のアンテナ入力端子６には少なくとも一つの放送中継衛星２が発信する複数のチャンネル（周波数）の信号が入力されており、これが選局回路７により選択される。選局回路７では、１つのチャンネルを選択する一方第４の周波数の信号に変換する。
【００２９】
また、選局回路７では、受信した信号の強度を検出するために前記第４の周波数の信号（ＩＦ信号と呼ぶ）をＡＭ復調により電圧変化に変換し、これを入力段のアンプに利得制御電圧（以下、ＡＧＣ電圧と呼ぶ）として負帰還することで、次段以降の回路への入力信号を常に適正な信号レベルになるように自動調整するＡＧＣ回路を備えている。
【００３０】
図２に、選局回路７におけるＡＧＣ回路の構成図を示す。入力端子６に入力されるデジタル放送信号は、利得可変増幅器７１で増幅された後選局及び周波数変換を行う選局部７２を経てＩＦ信号となり次段のＱＰＳＫ復調回路８に供給されることになる。ここで、前記ＩＦ信号はＡＭ復調回路７３で振幅検波され、ＡＧＣ電圧として前記の利得可変増幅器７１の制御端子に負帰還される。これによって、利得可変増幅器７１は、その出力が常に適正なレベルになるように利得（ゲイン）が調整されるようになっている。選局部７２の出力信号であるＩＦ信号が入力側の利得可変増幅器７１に負帰還されるループが、ＡＧＣ回路である。
【００３１】
前記のＡＧＣ電圧は入力電界強度に応じて変化するので、このＡＧＣ電圧から逆に入力電界強度を推定できることになる。
【００３２】
図３に、入力電界強度とＡＧＣ電圧との関係を、ＡＧＣ電圧特性例として示す。この図では、横軸に入力電界強度、縦軸にＡＧＣ電圧をとってある。入力電界強度とＡＧＣ電圧とは、ある入力電界強度の範囲内では比例する関係にあることが分かる。不安定要素と記述しているのは、回路構成部品の特性変化例えば温度変化等によるものや、入力信号に含まれるノイズなどに起因する特性ばらつきである。
【００３３】
再び図１において、前記ＡＧＣ電圧は、制御部１５に入力され、制御部１５の入力部に位置するＡ／Ｄ変換器によりデジタル量に変換され入力レベル表示のデータとして使用される。
【００３４】
ところで、制御部１５の指示により選局回路７で前記第３の周波数信号を選択した場合、この信号は復調に適した第４の周波数信号（ＩＦ信号）に変換されＱＰＳＫ復調回路８へ送られ前記放送データが再生される。
【００３５】
この前記放送データは伝送経路中でエラーを起こしている可能性があり、次のエラー検出・訂正回路９により放送データが正しく再生されることになる。
【００３６】
エラー検出・訂正回路９では、入力された前記放送データ中に発生したエラーの数及び回路を通過したデータの数を計算しており、“エラーデータ数／通過データ数”からデータの誤り率を計算し制御部１５に送る。
【００３７】
制御部１５では、この誤り率を図４に示す受信信号品位と誤り率の関係を示す変換テーブルを用いて受信信号品位のデータに変換して、表示器１８或いはテレビジョン受像機５に表示データとして出力することになる。
【００３８】
図４に、受信信号品位（Ｃ／Ｎ）と、エラー検出・訂正回路９で算出される誤り率（ビットエラーレート）との関係を示している。この図では、横軸に受信信号品位を、縦軸に誤り率をとってある。縦軸の１Ｅ−０１は１×１０−１を意味し、１Ｅ−０２は１×１０−２を意味している。受信品位限界と記述しているものは、これを越えて誤り率が上昇した場合即ちＣ／ＮがＴより低下した場合、エラー検出・訂正回路９で正常なエラー訂正動作ができず視聴品位が極端に低下するレベルであることを指している。また、誤り率の一番下のレベルは、エラーが非常に少なくてエラー検出・訂正回路９でエラー検出できる検出限界に相当している。
【００３９】
ところで、エラー訂正された前記放送データは、デスクランブル回路１０で予め制御部１５から指定されている受信契約をされた放送データが入力されたときのみデスクランブル処理をされ、前記分割された第３のデジタル情報が復元される。このとき、第３のデジタル情報の中でも受信装置の制御や番組の情報に関するデータは制御部１５に引き渡される。
【００４０】
次段のデータ分離回路１１では、前記第３のデジタル情報から制御部１５に指示された必要なデータつまり多重化された複数の番組のデータの中の指定の番組のデータのみを取り出し、前述した第２のデジタル情報として次段のデジタル伸長回路１２に送り出す。
【００４１】
デジタル伸長回路１２では、圧縮され軽量化された前記第２のデジタル情報を伸長し元の前記第１のデジタル情報に戻す。
【００４２】
このとき、第１のデジタル情報の中の映像データは、ＮＴＳＣ変換回路１３に入力され、ＮＴＳＣ方式に準じたアナログ映像信号に変換されて映像信号出力端子１９から出力される。
【００４３】
また、第１のデジタル情報の中の音声データについては、音声変換回路１４によりアナログ音声信号に変換され音声出力端子２０から出力される。
【００４４】
これらアナログの映像信号及び音声信号がテレビジョン受像機５に供給され視聴可能となる。
【００４５】
図５に、これらの過程で制御部１５に入力された前記ＡＧＣ回路からのＡＧＣ電圧とエラー検出・訂正回路９からの誤り率とを使って、アンテナレベル、デジタル信号品位としてテレビジョン画面に表示した例を示す。
【００４６】
また、図６に、これらを受信装置４の前面パネル上に配したＬＥＤ等の表示器１８に表示した例を示す。
【００４７】
次に、図７〜図１１を参照して、制御部１５における受信信号品位の表示処理動作について説明する。
【００４８】
図７は、制御部１５における受信信号品位表示処理ルーチンの第１の実施の形態を示している。
【００４９】
本処理ルーチンでは、制御部１５はエラー訂正・検出回路９で算出された誤り率のデータを読み込み（ステップＳ３０）、この誤り率から図８に記す変換テーブルに従い表示データに変換した後（ステップＳ３１）、デジタル信号品位表示が可能な表示器１８に出力する（ステップＳ３２）。前記表示データは、例えば図６に示した受信装置４の前面パネルに配置された表示器１８のデジタル信号品位表示部のＬＥＤを左から幾つ点灯させるかを規定するものであり、これに従ってデジタル信号品位表示がなされる。
【００５０】
図８は、受信信号品位を段階表示するのに、誤り率に対応して表示ドット数を決定するための変換テーブルを示している。誤り率の大小に応じて、表示ドット数を２０段階としたものである。誤り率が５Ｅ−０２以上、即ち５×１０−２以上のときは、図６におけるデジタル信号品位の表示ドット数を０つまり点灯せず、例えば誤り率が５Ｅ−０４以上で１Ｅ−０３より小さいとき、即ち５×１０−４以上で１×１０−３より小さいときは、表示ドット数を８とし、誤り率が１Ｅ−０６、即ち１×１０−６より小さいときは、表示ドット数を２０としてある。
【００５１】
図９は、制御部１５における受信信号品位表示処理ルーチンの第２の実施の形態を示している。
【００５２】
本処理ルーチンでは、制御部１５はエラー訂正・検出回路９で算出された誤り率のデータを読み込み（ステップＳ３０）、この誤り率から図８に記す変換テーブルに従い表示データに変換した後（ステップＳ３１）、この表示データの表示ドット数が４以下、すなわち誤り率が５Ｅ−０３以下であるか否かを判定し（ステップＳ３３）、表示ドット数が４を越えるとき表示データを表示器１８に出力してその表示ドット数に応じた長さで表示器１８を点灯表示し（ステップＳ３２）、４以下であるとき表示データを表示器１８に出力するに際しその表示方法を点滅表示にして（ステップＳ３４）、正常な視聴ができない状態であることを警告する。
【００５３】
これは、表示データの表示ドット数が４以下、すなわち誤り率が５Ｅ−０３以上であるときは、エラー検出・訂正回路９がデータエラーの訂正ができなくなると仮定した場合であり、このとき映像信号或いは音声信号の再生が正常にできなくなることを相当し、特にデジタル映像処理の場合、ちょっとしたエラーでも画面中でブロック単位に欠落することになる。そこで、本実施の形態では、表示データが４以下であるときに特に表示方法を点滅にし、正常な視聴ができない状態であることを警告する一方、正常な視聴品位が保てる場合、つまり表示データが４を越える場合は通常の点灯表示を行う。
【００５４】
図１０は、制御部１５における受信信号品位表示処理ルーチンの第３の実施の形態を示している。
【００５５】
本処理ルーチンでは、制御部１５はエラー訂正・検出回路９で算出された誤り率のデータを読み込み（ステップＳ３０）、この誤り率から図８に示す変換テーブルに従い表示データに変換した後（ステップＳ３１）、この表示データの表示ドット数が４以下、すなわち誤り率が５Ｅ−０３以下であるか否かを判定し（ステップＳ３３）、表示ドット数が４を越えるとき表示データを表示器１８に出力してその表示ドット数に応じた長さで表示器１８を点灯表示し（ステップＳ３２）、４以下であるとき表示データを表示器１８に出力するに際しその表示方法を点滅表示にし（ステップＳ３４）、正常な視聴ができない状態であることを警告する。
【００５６】
さらに、本実施の形態では、ステップＳ３３において、正常な視聴品位が保てないと判定した場合（変換される表示ドット数が４以下であるとき）、表示方法を点滅表示にする一方（ステップＳ３４）、前記デジタル伸長回路１２の出力を禁止し（ステップＳ３５）、雑音を含む映像信号や音声信号にミュートを掛ける。
【００５７】
逆に、正常な受信品位状態に戻った場合には、表示データを表示器１８に出力してその表示ドット数に応じた長さで表示器１８に点灯表示する一方（ステップＳ３２）、前記デジタル伸長回路１２への出力を許可する（ステップＳ３６）。
【００５８】
図１１は、制御部１５における受信信号品位表示処理ルーチンの第４の実施の形態を示している。
【００５９】
この実施の形態は、アンテナの方位調整の場合、表示器に示されるレベル表示を見るより、テレビジョン画面の映像を見ながら大まかに調整し、微細な調整については専用の表示器１８によりピーク値を調整する方が調整し易いとの人間工学的検知から改善しようとするものである。
【００６０】
この処理では前記図１０で説明した制御と同様であるが、ステップＳ３３で、十分な視聴品位が保てないとき、即ち前記表示ドット数が４以下のとき、表示器１８を点滅表示する一方（ステップＳ３４）、現在アンテナの方位を調整するモードになっているか否かを判定し（ステップＳ３７）、アンテナの方位調整のモードでなければ、デジタル伸長回路１２への出力を禁止し（ステップＳ３５）、アンテナの方位調整モードであれば、デジタル伸長回路１２への出力を禁止することなく、映像をテレビジョン受像機５の画面上に映出しながらアンテナ調整できるようにしている。
【００６１】
ここで、アンテナの方位調整のモードとは、ユーザーが図示しないリモートコントローラを使いリモコン受光部１６を通して、或いは前面ボタン１７を操作することによって、制御部１５にアンテナ調整時であることを指定する機能である。
【００６２】
図１２に、以上の受信信号品位の表示のほかに、受信回路の入力レベル表示を行う際の制御部１５の処理ルーチンを示す。
【００６３】
この実施の形態は、第１の実施の形態に加えて選局回路７の一機能であるＡＧＣ回路のＡＧＣ電圧を読み込み（ステップＳ４０）、図１３に示す変換テーブルに従ってＡＧＣ電圧の大きさに対応した表示データに変換した後（ステップＳ４１）、表示器１８に出力して点灯表示する（ステップＳ４２）。
【００６４】
前記表示データは、例えば図６に示した受信装置４の前面パネルに配置された表示器１８のアンテナレベル表示部を左から幾つ点灯させるかを規定するものであり、前記第１の実施の形態で示した前記デジタル信号品位表示とともにアンテナレベルとして点灯表示される。
【００６５】
図１３は、アンテナレベルを段階表示するのに、ＡＧＣ電圧に対応して表示ドット数を決定するための変換テーブルを示すものである。ＡＧＣ電圧に応じて、表示ドット数を２０段階としている。ＡＧＣ電圧が１Ｖより小さいときは、図６におけるアンテナレベルの表示ドット数を０即ち点灯せず、例えばＡＧＣ電圧が１．９Ｖ以上２．４Ｖより小さいときは、表示ドット数を８とし、ＡＧＣ電圧が４．５Ｖ以上のときは、表示ドット数を２０としてある。
【００６６】
第６の実施の形態は、第５の実施の形態の中でも特にユーザーの操作でアンテナレベル表示が指示された場合にのみ例えばアンテナの方位調整のモードが指示されている場合にのみ、テレビジョン受像機５にアンテナ調整専用の画面で図５に示すようなアンテナレベルとデジタル信号品位の表示をするものである。特に、アンテナの方位調整時に使用すると有益である。
【００６７】
即ち、制御部１５に対してアンテナの方位調整のモードが指示されている場合に、まず、アンテナレベルの表示を見ながら大まかに方位を決定し、次にデジタル信号品位が十分取れているかをデジタル信号品位の表示がなされているかで確認して、デジタル放送衛星に方位が合っていることを確認する。もし、デジタル放送衛星でなくアナログ放送衛星に方位が合っていると、デジタル信号品位の表示は０となる。デジタル放送衛星に方位が合っていると、デジタル信号品位の表示が、あるレベルをもって表示される。
【００６８】
そして次に、再びアンテナレベルの表示を見ながら入力レベルのピークを探しながら方位調整を行う。
【００６９】
以上のことは、前記デジタル信号品位の元となる誤り率が精度は高いが、指数特性を示すため測定範囲が狭い点と、ＡＧＣ電圧によるレベル表示は精度は低いが、測定範囲が広いこと、の両方の特性を生かしたものである。入力電界強度の変化に対する、誤り率及びＡＧＣ電圧の変化特性については、後述の図１４に示されている。図１４からも分かるように、誤り率については、入力電界強度の変化に対して変化する範囲つまり測定範囲は、Ｂの領域の狭い範囲であり、これに対し、ＡＧＣ電圧では、入力電界強度の変化に対して変化する範囲は、Ｂの領域を含みＡの領域及びＣの領域にも及んだ広い範囲となっている。
【００７０】
第７の実施の形態は第６の実施の形態を改善するもので、アンテナの方位調整のモードが指示されていて、アンテナ方位調整を行う際に、制御部１５は、まず誤り率に基づくデジタル信号品位を表示器１８に表示させるように制御し、ユーザーは例えば第２の実施の形態で解説したように視聴品位が確保できる方位までアンテナ方位を調整した後（具体的には、デジタル信号品位の表示が点滅することなく正常に点灯表示された後）に、制御部１５は、ＡＧＣ電圧に基づくアンテナレベルの表示を開始するように制御し、ユーザーはアンテナレベルの表示を参照しながら、入力レベルのピークを探して方位調整を行うようにしたものである。
【００７１】
これにより、大まかな調整はしにくくなるが、まずデジタル信号品位の表示を行ってデジタル衛星の電波に合っていることを確認した上で、アンテナ方位の調整ができるようになる。デジタル信号品位の表示を行うことによってデジタル衛星の方位に合わされば、アナログ衛星放送の電波に惑わされることがない。
【００７２】
第８の実施の形態は、第６の実施の形態でも述べたが、ＡＧＣ電圧による入力レベルの測定と、誤り率による受信信号品位の測定の両者の特徴を生かすために、図１４に示すように両データを合成してデジタル信号品位として表示するようにしたものである。
【００７３】
図１４は、入力電界強度の変化に対する、誤り率及びＡＧＣ電圧の各変化特性を同一グラフ上に描いたものである。ただし、誤り率については、入力電界強度の上昇に伴って誤り率が指数特性で次第に減少するカーブとなるが、ここでは誤り率の縦軸の正方向は受信信号品位に対応するように誤り率が減少する方向となっている。図１４からも分かるように、誤り率については、入力電界強度の変化に対して変化する範囲は、Ｂの領域であり、このＢの領域では例えば図８の変換テーブルを使用し、誤り率に基づいて受信信号品位を算出して表示すればよいが、誤り率が変化しなくなるＡの領域及びＣの領域では、入力電界強度の変化に対してＡＧＣ電圧を使用し、ＡＧＣ電圧に基づいて受信信号品位を算出して表示するようにするのが、第８の実施の形態である。換言すれば、Ｂの領域は、誤り率を信号品位表示の基準とする領域であり、Ａ，Ｃ領域では、ＡＧＣ電圧を信号品位表示の基準とするようにする。
【００７４】
制御部１５は、エラー検出・訂正回路９からの誤り率を入力する一方選局回路７内のＡＧＣ回路からのＡＧＣ電圧を入力する。受信回路の入力レベルに対応して、誤り率の計測が可能なＢ領域では誤り率を元に第１の受信信号品位を算出し、前記誤り率の計測が不可能なＡ，Ｃ領域では前記ＡＧＣ電圧から第２の受信信号品位を算出し、算出した第１，第２の受信信号品位を表示器１８或いはテレビジョン受像機５の画面上に表示する。これにより、入力レベルの広い範囲Ａ，Ｂ，Ｃに亘って、デジタル信号品位を表示することが可能となる。
【００７５】
しかしながら、入力信号のＣ／Ｎつまり誤り率により図１４のＢの領域が左右に動く、つまりノイズの少ない環境下では同じ入力電界強度であっても誤り率は少なくなるので、誤り率特性曲線が図上左に移動しこれに伴いＢの領域が左に移動し、また信号のノイズ量が増えると同じ入力電界強度であっても誤り率は多くなるので、誤り率特性曲線が図上右に移動しこれに伴いＢの領域が右へ移動する。Ｂの領域が基準値（例えば図示の状態）より左右どちらかに移動すると、入力電界強度とＡＧＣ電圧の関係は変わらないのでつまりＡＧＣ電圧特性曲線は変わらないので、領域Ａ，Ｂ，Ｃの臨界点Ｈ１，Ｈ２が移動しデジタル信号品位の表示が不連続になる場合が生じる。
【００７６】
そこで、第９の実施の形態は、第８の実施の形態を改善するもので、制御部１５は、誤り率と入力レベルとの間で相関差が生じるような環境で、誤り率（Ｃ／Ｎ）と、入力レベルとしてのＡＧＣ電圧との相関を、前記誤り率の計測が可能な領域で計算し、前記第１，第２の受信信号品位による連続的な信号品位表示を行うに際し、前記誤り率と前記ＡＧＣ電圧の相関差により、前記誤り率を使用する領域と前記ＡＧＣ電圧を使用する領域の不連続を補正するようにする。
【００７７】
より具体的には、Ｃ／Ｎつまり誤り率が計測可能な領域例えばＢの領域のときＡＧＣ電圧を測定し、ノイズ量の変化する環境下にあって、入力電界強度即ちＡＧＣ電圧と誤り率とを比較し、誤り率についてのＢの領域が図１４の基準値（例えば図１４の誤り率曲線に対応して示されたＢの領域）からどの程度ずれているかつまり相関差があるかを算出して、Ａ，Ｂ，Ｃの領域の移り変わりにおいて前記相関差を考慮し、例えば図８や図１３に示す表示係数（表示ドット数）を変化させ、Ａ，Ｂ，Ｃの領域が移り変わっても領域Ａ，Ｂ，Ｃの臨界点Ｈ１  ，Ｈ２  での連続性を確保するようにしている。
【００７８】
【発明の効果】
以上述べたように本発明によれば、誤り率に基づいた受信信号品位の算出を行うことにより、例えば、デジタル衛星放送信号を受信すべく、アンテナの方位調整を行う場合には、誤り率に基づいた受信信号品位の表示レベルを見ながら精度の高い方位調整を行うことが可能となる。しかも、受信信号品位が所定の品位以下のときにはユーザーに対して警告を行うことができる。デジタル放送受信装置において受信信号品位をエラー検出部分から得られる誤り率に基づいて表現することが可能となるので、このデジタル信号品位の表示が確保されていれば、デジタル放送信号が受信されていると判断でき、アンテナの方位調整の際、アナログ放送信号と間違える虞れがない。また、デジタル信号品位を誤り率に基づいて例えばＣ／Ｎに換算して表現すれば、画面の表示状態が悪化した場合、デジタル信号品位の表示値が大きければ、送信側及び送信側からの伝送路上のノイズによるものではなく、受信装置などの故障によるものとの判断が可能になる。
【図面の簡単な説明】
【図１】本発明に係わるデジタル放送システムの一実施の形態の構成を示す概念図及びデジタル放送受信装置の構成を示すブロック図。
【図２】図１のデジタル放送受信装置に用いられるＡＧＣ回路の構成を示すブロック図。
【図３】図１のデジタル放送受信装置に用いられるＡＧＣ回路のＡＧＣ電圧特性を示すグラフ。
【図４】図１のデジタル放送受信装置のエラー検出・訂正回路で算出される誤り率を、受信信号品位（Ｃ／Ｎ）に換算するためのグラフ。
【図５】図１のデジタル放送受信装置におけるアンテナレベル表示のテレビジョン画面表示例を示す図。
【図６】図１のデジタル放送受信装置における前面パネルの表示器によるＬＥＤ表示例を示す図。
【図７】図１のデジタル放送受信装置における制御部の第１の実施の形態の受信信号品位表示処理ルーチンを示すフローチャート。
【図８】図７における誤り率を表示データに変換するための変換テーブルを示す図。
【図９】図１のデジタル放送受信装置における制御部の第２の実施の形態の受信信号品位表示処理ルーチンを示すフローチャート。
【図１０】図１のデジタル放送受信装置における制御部の第３の実施の形態の受信信号品位表示処理ルーチンを示すフローチャート。
【図１１】図１のデジタル放送受信装置における制御部の第４の実施の形態の受信信号品位表示処理ルーチンを示すフローチャート。
【図１２】図１のデジタル放送受信装置における制御部の第５の実施の形態の入力レベル表示処理ルーチンを示すフローチャート。
【図１３】図１２におけるＡＧＣ電圧を表示データに変換するための変換テーブルを示す図。
【図１４】本発明の第８及び９の実施の形態に使用されるＡＧＣ回路のＡＧＣ電圧特性と誤り検出回路の誤り率特性の相関を示す図。
【符号の説明】
３…受信アンテナ設備
４…デジタル放送受信装置
５…テレビジョン受像機
６…アンテナ入力端子
７…選局回路（ＡＧＣ回路を含む）
８…ＱＰＳＫ復調回路
９…エラー検出・訂正回路
１２…デジタル伸長回路
１３…ＮＴＳＣ変換回路
１４…音声変換回路
１５…制御部
１７…前面ボタン
１８…前面表示器
【図１】
0003581330.tif 000002
【図２】
0003581330.tif 000003
【図３】
0003581330.tif 000004
【図４】
0003581330.tif 000005
【図５】
0003581330.tif 000006
【図６】
0003581330.tif 000007
【図７】
0003581330.tif 000008
【図８】
0003581330.tif 000009
【図９】
0003581330.tif 000010
【図１０】
0003581330.tif 000011
【図１１】
0003581330.tif 000012
【図１２】
0003581330.tif 000013
【図１３】
0003581330.tif 000014
【図１４】
0003581330.tif 000015